(57)【要約】【課題】コンピュータ構造から離脱して直接ＥＤＩＤを記録でき単独で一回に一つ以上の接続インタフェースを記録できコストと時間を節約するＥＤＩＤ記録方法。【解決手段】ＥＤＩＤ記録器を入力装置インタフェースで入力装置に接続し、入力情報はＥＤＩＤ記録待機中のディスプレイに貼られたバーコードより得られた製品情報に複数のＥＤＩＤを併合したもので、ＶＧＡビデオインタフェース、ＤＶＩビデオインタフェース、ＨＤＭＩビデオインタフェースを介しＥＤＩＤ記録待機中のディスプレイに対してＥＤＩＤ記録作業を行う。【選択図】図６
2008304884.tif 000002
【特許請求の範囲】
【請求項１】
拡張ディスプレイ認識データ記録方法において、この方法はコンピュータ不使用で拡張ディスプレイ認識データ（ＥＤＩＤ）を記録する方法であり、
（Ａ）ＥＤＩＤ記録待機のディスプレイを提供するステップ、このステップにおいて該ディスプレイには製品バーコードが貼られている、
（Ｂ）ＥＤＩＤ記録器を提供するステップ、このステップにおいて、該ＥＤＩＤ記録器は入力装置に接続され、且つ複数の出力用のビデオインタフェース、メモリユニットを包含し、該複数の出力用のビデオインタフェースは共にＥＤＩＤ記録待機のディスプレイに接続され、該メモリユニットに該複数の出力用のビデオインタフェースがいずれも該ＥＤＩＤ記録待機のディスプレイに接続され、該ＥＤＩＤ記録待機のディスプレイが該複数の出力用のビデオインタフェースに対応する一組のＥＤＩＤ、及びシステムデータを保存している、
（Ｃ）該入力装置を利用して該ＥＤＩＤ記録待機のディスプレイの該製品バーコードを入力して製品データを獲得するステップ、
（Ｄ）該製品データに複数のＥＤＩＤを併合するステップ、
（Ｅ）（Ｄ）のステップで得たデータをシステムデータと併せて該ＥＤＩＤ記録待機のディスプレイに記録するステップ、
以上のステップを包含することを特徴とする、拡張ディスプレイ認識データ記録方法。
【請求項２】
請求項１記載の拡張ディスプレイ認識データ記録方法において、（Ｂ）のステップのＥＤＩＤ記録器は更に拡充インタフェース、入力装置インタフェース、及びマイクロコントローラを包含し、該マイクロコントローラは該複数の出力用のビデオインタフェース、該メモリユニット、該入力装置インタフェース、及び拡充インタフェースと電気的に接続されたことを特徴とする、拡張ディスプレイ認識データ記録方法。
【請求項３】
請求項２記載の拡張ディスプレイ認識データ記録方法において、（Ｂ）のステップのＥＤＩＤ記録器は更に該拡充インタフェースに接続された表示ユニットを包含し、該表示ユニットはステップ（Ｃ）において該入力装置が該ＥＤＩＤ記録待機のディスプレイの製品バーコードより製品情報を獲得後に、製品情報を表示するのに用いられることを特徴とする、拡張ディスプレイ認識データ記録方法。
【請求項４】
請求項２記載の拡張ディスプレイ認識データ記録方法において、（Ｂ）のステップで、該拡充インタフェースにマルチプレクサが組み合わされて、ＥＤＩＤ記録器が接続され、システムがこの拡充インタフェースを具えた接続を検出する時、システムは更に自動的にビデオ信号接続のインタフェースをＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）に変換することを特徴とする、拡張ディスプレイ認識データ記録方法。
【請求項５】
請求項３記載の拡張ディスプレイ認識データ記録方法において、（Ｅ）のステップの記録期間に、該表示ユニットが記録状態情報を表示できることを特徴とする、拡張ディスプレイ認識データ記録方法。
【請求項６】
請求項２記載の拡張ディスプレイ認識データ記録方法において、（Ｂ）のステップ中、該ＥＤＩＤ記録器が更にスピーカを包含し、該スピーカが該マイクロコントローラと電気的に接続されて、（Ｅ）のステップの記録期間に、記録状態メッセージを通知することを特徴とする、拡張ディスプレイ認識データ記録方法。
【請求項７】
請求項２記載の拡張ディスプレイ認識データ記録方法において、（Ｂ）のステップ中、該ＥＤＩＤ記録器が更に指示ランプセットを包含し、該指示ランプセットが該マイクロコントローラと電気的に接続され、（Ｅ）のステップの記録期間に記録状態メッセージを通知することを特徴とする、拡張ディスプレイ認識データ記録方法。
【請求項８】
請求項２記載の拡張ディスプレイ認識データ記録方法において、（Ｂ）のステップ中、該ＥＤＩＤ記録器が更に外部コンピュータ接続インタフェースを包含し、該外部コンピュータ接続インタフェースが該マイクロコントローラに電気的に接続されたことを特徴とする、拡張ディスプレイ認識データ記録方法。
【請求項９】
請求項８記載の拡張ディスプレイ認識データ記録方法において、（Ｃ）のステップの前に更に、
（Ｂ１）複数のＥＤＩＤを読取並びにデータが損壊しているかを判断するステップ、損壊していれば（Ｂ２）のステップを実行し、損壊していなければ（Ｂ３）のステップを実行する、
（Ｂ２）該外部コンピュータ接続インタフェースを外部コンピュータに接続し、これによりデータをダウンロードして該メモリユニット中の該複数のＥＤＩＤを更新するステップ、その後、（Ｂ１）のステップに戻る、
（Ｂ３）別の型番のＥＤＩＤを新たにダウンロードするかを判断し、ダウンロードするなら先に計数データをアップロードし、計数データを零にリセットするステップ、その後、さらに（Ｂ２）のステップを実行する、
以上のステップを包含することを特徴とする、拡張ディスプレイ認識データ記録方法。
【請求項１０】
請求項３記載の拡張ディスプレイ認識データ記録方法において、（Ｂ）のステップ中のの該ＥＤＩＤ記録器の該複数の出力用のビデオインタフェースはＶＧＡビデオインタフェース、ＤＶＩビデオインタフェース、ＨＤＭＩビデオインタフェースを包含することを特徴とする、拡張ディスプレイ認識データ記録方法。
【請求項１１】
請求項１０記載の拡張ディスプレイ認識データ記録方法において、（Ｃ）のステップの後に、
（Ｃ１）ＶＧＡビデオインタフェース、ＤＶＩビデオインタフェース、ＨＤＭＩビデオインタフェースの接続状態を検査し、その接続状態により対応するビデオインタフェースを記録するかを自動的に判断するステップ、
を包含したことを特徴とする、拡張ディスプレイ認識データ記録方法。
【請求項１２】
請求項１１記載の拡張ディスプレイ認識データ記録方法において、（Ｃ１）のステップの後に、更に、
（Ｃ２）バーコードを該入力装置に入力し並びにそれが製品バーコードであるかを判断するステップ、イエスであればステップ（Ｄ）を実行し、ノーであればステップ（Ｃ３）を実行する、
（Ｃ３）該入力装置の入力した制御コードにより、製品型番名称表示、製品シリアルナンバー表示を実行するか、或いは記録したいバーコードであるか否かを対比することで、不正確な型番のＥＤＩＤを使用することで誤記録を発生するのを防止するステップ、
を包含することを特徴とする、拡張ディスプレイ認識データ記録方法。
【請求項１３】
請求項９記載の拡張ディスプレイ認識データ記録方法において、（Ｃ）のステップの後に、更に、
（Ｃ４）以前に獲得した製品データとＥＤＩＤ記録器のメモリ内のシステムデータの検査コードを対比してうっかり防止検査を実行するステップ、それらが符合しなければ（Ｂ３）のステップに戻り、符合すれば（Ｄ）のステップを実行する、
以上のステップを包含したことを特徴とする、拡張ディスプレイ認識データ記録方法。
【請求項１４】
請求項２記載の拡張ディスプレイ認識データ記録方法において、（Ｂ）のステップ中のメモリユニットが更に計数データを保存し、（Ｅ）のステップの後に更に、
（Ｆ）該メモリユニット中の該計数データの累計を一つ増加するステップ、
を包含したことを特徴とする、拡張ディスプレイ認識データ記録方法。
【請求項１５】
請求項１２記載の拡張ディスプレイ認識データ記録方法において、（Ｅ）のステップの後に更に、
（Ｅ１）該ＥＤＩＤ記録待機のディスプレイと該メモリユニット中の複数ＥＤＩＤが一致するかを検査するステップ、一致すれば（Ｆ）のステップを実行し、一致しなければ（Ｂ３）のステップに戻る、
以上のステップを包含したことを特徴とする、拡張ディスプレイ認識データ記録方法。
【請求項１６】
請求項１記載の拡張ディスプレイ認識データ記録方法において、（Ｄ）のステップで製品データ、及びメモリユニットの複数のＥＤＩＤをそれぞれＲＡＭ中に併合し整合することを特徴とする、拡張ディスプレイ認識データ記録方法。
【請求項１７】
請求項１６記載の拡張ディスプレイ認識データ記録方法において、該複数のＥＤＩＤがＶＧＡのＥＤＩＤ、ＤＶＩのＥＤＩＤ、ＨＤＭＩのＥＤＩＤとされたことを特徴とする、拡張ディスプレイ認識データ記録方法。
【発明の詳細な説明】
【技術分野】
【０００１】
本発明は拡張ディスプレイ認識データ記録方法に係り、特に、コンピュータ不使用で拡張ディスプレイ認識データを記録する方法に関する。
【背景技術】
【０００２】
コンピュータテクノロジーの普及に伴い、プラグアンドプレイの機能はコンピュータ周辺機器に必要とされる機能となっている。ディスプレイでは、ＶＥＳＡ（Video Electronics Standard Association  ）が重大なディスプレイ及びディスプレインタフェース標準の推進と開発を請け負い、その互換性を確保している。拡張ディスプレイ認識データ（ＥＤＩＤ）はＶＥＳＡがディスプレイのために制定した標準データ形式である。ＥＤＩＤはディスプレイの基本データ、例えば販売者情報、最大画像サイズ、色彩特徴、使用周波数制限等を包含する。該ＥＤＩＤシステムはディスプレイ中に記録されてコンピュータとコミュニケートするのに用いられ、プラグアンドプレイの機能を達成する。
【０００３】
周知の技術中、メーカーはパーソナルコンピュータ構造を用いてディスプレイへのＥＤＩＤ記録作業を行い、すなわち、ディスプレイのＶＧＡインタフェース、ＶＤＩインタフェースを通してＥＤＩＤをディスプレイの電気的消去不能のメモリ中に書き込む。例えば、ＶＧＡインタフェースを具えたディスプレイに対しては、ＰＣでＶＧＡインタフェースを介してＥＤＩＤをディスプレイ中に書き込む。
【０００４】
図１及び図２は伝統的なＥＤＩＤ記録作業及び装置の表示図である。図１、２より分かるように、それはいずれもコンピュータ装置１９３が信号線１９４でディスプレイ１９１に接続され、並びにスキャナ１９２を通してディスプレイ１９１に対してＥＤＩＤ記録作業を行う。図１と図２の異なるところは、図１においては、コンピュータ装置１９３はＶＧＡインタフェースを具えたグラフィックカードでディスプレイ１９１のＶＧＡインタフェース１９１１に対して、記録動作を行う。ただしこのような接続による記録方式において、コンピュータ装置１９３のグラフィックカードは、ＶＢＥ（ＶＥＳＡ  ＢＩＯＳ  Ｅｘｔｅｎｓｉｏｎｓ  Ｆｕｎｃｔｉｏｎｓ）を具備していなければ、往々にして互換性不支援の状況が生じる。
【０００５】
このほか図２においては、インタフェースアダプタ１９５が取り付けられ、これにより図１のＶＢＥ互換性の問題を克服すると共に、ディスプレイのＤＶＩインタフェース１９１２に対して記録を行え、これによりコンピュータのＶＧＡインタフェースを変換によりディスプレイ１９１の異なるインタフェースに適応させている。
【０００６】
別の周知の記録作業及び装置は図３に示されるようであり、それによると、コンピュータ装置２９３はプリンタポート２９３１、或いはその他の、例えばＲＳ２３２、ＵＳＢポートを包含する。その周知の記録方式は、コンピュータ装置２９３をプリンタポータ２９３１或いはその他のポートよりインタフェースアダプタ２９５を介してディスプレイ２９１のＤＶＩインタフェース２９１１に接続した後、ＥＤＩＤをディスプレイ２９１中に記録する。なお、上述のプリンタポート２９３１とＤＶＩインタフェース２９１１の間の信号線２９４にはインタフェースアダプタ２９５が必ず取り付けられ、それによりスキャナ２９２でディスプレイ２９１に対して記録を行える。
【発明の開示】
【発明が解決しようとする課題】
【０００７】
しかし、前述の周知のＥＤＩＤ記録作業方式には多くの欠点がある。例えば、（１）一回に一つのビデオインタフェースしか記録できない。（２）記録作業時に、ＰＣを使用し且つ余分にビデオ信号源に外付けする必要がある。（３）ＰＣのグラフィックカードはＶＢＥ機能をサポートする特別のグラフィックカードでなければならず、そうでなければプリンタポート或いはその他のポートに更にインタフェースアダプタを外付けしなくてはならない。（４）固定地点で記録作業を行う。（５）スクリーンを使用して操作結果を嵌設する必要があるが、視角問題により作業員の判定上の不便を形成しやすい。
【０００８】
ゆえに、本発明は上述の周知の技術の問題を解決するため、コンピュータ不使用で拡張ディスプレイ認識データを記録する方法を提供することを課題とする。
【課題を解決するための手段】
【０００９】
上述の問題を解決するため、本発明は一種の拡張ディスプレイ認識データ記録方法を提供し、それはコンピュータ不使用で拡張ディスプレイ認識データ（ＥＤＩＤ）を記録する方法であり、（Ａ）製品バーコードが貼られＥＤＩＤ記録待機のディスプレイを提供するステップ、（Ｂ）ＥＤＩＤ記録器を提供ステップ、このステップにおいて、該ＥＤＩＤ記録器は、入力装置に接続され、且つ複数の出力用のビデオインタフェース、メモリユニットを包含し、該複数の出力用のビデオインタフェースは共にＥＤＩＤ記録待機のディスプレイに接続され、該メモリユニットに該複数の出力用のビデオインタフェースがいずれも該ＥＤＩＤ記録待機のディスプレイに接続され、該ＥＤＩＤ記録待機のディスプレイが該複数の出力用のビデオインタフェースに対応する一組のＥＤＩＤ、及びシステムデータを保存している、（Ｃ）該入力装置を利用して該ＥＤＩＤ記録待機のディスプレイの該製品バーコードを入力して製品データを獲得するステップ、（Ｄ）製品データに複数のＥＤＩＤを併合し、並びにシステムデータと共にＥＤＩＤ記録待機のディスプレイに記録するステップ、以上のステップを包含する。
【００１０】
本発明の拡張ディスプレイ認識データ記録方法において、（Ｂ）のステップのＥＤＩＤ記録器は更に拡充インタフェース、入力装置インタフェース、及びマイクロコントローラを包含し、そのうち、マイクロコントローラ及び該複数の出力用のビデオインタフェース、該メモリユニット、該入力装置インタフェース、及び該拡充インタフェースは電気的に接続されたことを特徴とする、拡張ディスプレイ認識データ記録方法。
【００１１】
本発明の拡張ディスプレイ認識データ記録方法において、（Ｂ）のステップのＥＤＩＤ記録器は更に該拡充インタフェースに接続された表示ユニットを包含し、該表示ユニットはステップ（Ｃ）において該入力装置が該ＥＤＩＤ記録待機のディスプレイの製品バーコードより製品情報を獲得後に、製品情報を表示し、該拡充インタフェースにマルチプレクサが組み合わされて、記録器が接続され、システムがこの拡充インタフェースを具えた接続を検出する時、システムは更に自動的にビデオ信号接続のインタフェースをＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）に変換し、そのうち、好ましくは、一回に８個或いはそれ以上のデータを記録する。
【００１２】
本発明の拡張ディスプレイ認識データ記録方法において、（Ｂ）のステップのＥＤＩＤ記録器の該複数の出力用のビデオインタフェースはＶＧＡビデオインタフェース、ＤＶＩビデオインタフェース、ＨＤＭＩビデオインタフェースを包含する。
【００１３】
本発明の拡張ディスプレイ認識データ記録方法において、（Ｄ）のステップの前に、更に、
（Ｃ１）ＶＧＡビデオインタフェース、ＤＶＩビデオインタフェース、及びＨＤＭＩビデオインタフェースの接続状態を検査し、その接続状態により対応するビデオインタフェースを記録する必要があるかを自動的に決定するステップ、
を包含する。
本発明の拡張ディスプレイ認識データ記録方法において、（Ｂ）のステップの該メモリユニットは更に計数データを保存し、これにより（Ｄ）のステップの後に、更に、（Ｅ）該メモリユニット中の計数データの累計を一つ増加するステップ、
を包含する。
【発明の効果】
【００１４】
本発明は一種の、コンピュータ不使用で拡張ディスプレイ認識データを記録する方法を提供し、それはコンピュータ構造より離脱し、ビデオ信号ソースを外付けする必要なく直接ＥＤＩＤを記録でき、すなわち固定地点でなくとも単独で一回に一つ以上の接続インタフェースを記録でき、コストと時間を節約し、並びにＰＣのグラフィックカードがＶＢＥ機能をサポートする特別のグラフィックカードである必要をなくし、且つ視角問題により作業員の判定上の不便を形成するのを防止する。
【発明を実施するための最良の形態】
【００１５】
図４に示される本発明の実施例によると、ＥＤＩＤ記録器１００が入力装置インタフェース３で入力装置３１（好ましくはバーコードスキャナ３１１、或いはキーボード３１２、或いはＲＦＩＤ３１３等とされる）に接続され、該入力装置３１によりＥＤＩＤ記録待機のディスプレイ２０１に貼り付けられた製品バーコード２０１１（図５に示されるように、該製品バーコード２０１１は、製造日２０１１Ａ、製品シリアルナンバー２０１１Ｂ、及び製品型番を包含する）を入力し、並びに出力ポートのＶＧＡビデオインタフェース１１、ＤＶＩビデオインタフェース１２、ＨＤＭＩビデオインタフェース１３を介してＥＤＩＤ記録待機のディスプレイ２０１に対して記録作業を行う。このほか、本ＥＤＩＤ記録器１００は、選択的に電池により電源を提供して直流作業電圧源とするか、或いは入力装置３１に電源入力ユニット３２を設置して電源を供給する。そのうち、電源入力ユニット３２は変圧器とされ、それは一般に交流電源に接続された後に、直流９〜１２Ｖ電源電圧を供給できる。このほか、ＥＤＩＤ記録待機のディスプレイ２０１の電源入力装置２０１２もまた電源を供給可能である。また、ＥＤＩＤ記録器１００は外部コンピュータ接続インタフェース９を具え、それは外部コンピュータ９０１と接続してデータをダウンロードするのに供される。
【００１６】
図６は本発明の好ましい実施例の方法フローチャートであり、その詳細な説明に関しては図４、５も併せて参照されたい。
【００１７】
まず、製品バーコード２０１１の貼られたＥＤＩＤ記録待機のディスプレイ２０１を提供する（ステップＳＡ）。図５に示されるように製品バーコード２０１１は、ＥＤＩＤ記録待機のディスプレイ２０１上の独立した物品であり、それは、製造日２０１１Ａ、製品シリアルナンバー２０１１Ｂ、及び製品型番を包含する。本実施例では、ＥＤＩＤ記録器１００は任意のメーカーのＥＤＩＤ記録待機のディスプレイ２０１に対して記録作業を行えるが、製品バーコード２０１１形式は本ＥＤＩＤ記録器１００が解析可能な形式に変換される必要がある。
【００１８】
続いて、ＥＤＩＤ記録器１００を提供する（ステップＳＢ）。それは三つの出力用のビデオインタフェース（本実施例ではＶＧＡビデオインタフェース１１、ＤＶＩビデオインタフェース１２、ＨＤＭＩビデオインタフェース１３とされる）、メモリユニット２、入力装置インタフェース３、マイクロコントローラ４、拡充インタフェース５、表示ユニット６、スピーカ７、指示ランプセット８、及び外部コンピュータ接続インタフェース９を包含する。そのうち、メモリユニット２はＶＧＡビデオインタフェース１１、ＤＶＩビデオインタフェース１２、ＨＤＭＩビデオインタフェース１３に対応するＥＤＩＤデータ２４、システムデータＳＹＳを包含し、該システムデータＳＹＳは更に計数データ２１、ＩＤコード２２、検査コード２３、システムパラメータ、型番データ等を包含しうる。マイクロコントローラ４は前述の全ての装置に直接或いは間接的に電気的に接続される。このほか、入力装置インタフェース３、ＶＧＡビデオインタフェース１１、ＤＶＩビデオインタフェース１２、ＨＤＭＩビデオインタフェース１３はそれぞれ入力装置３１、及びＥＤＩＤ記録待機のディスプレイ２０１に接続される。本実施例では、メモリユニット２はＥＤＩＤデータ２４を保存し、そのうちＥＤＩＤ１はＶＧＡを分配提供し、ＥＤＩＤ２はＤＶＩを分配提供し、ＥＤＩＤ３はＨＤＭＩを分配提供する。本発明のこれら三つのＥＤＩＤは説明に便利なように提示された例であり、本発明を限定するものではない。メモリユニット２はＥＥＰＲＯＭとされ、マイクロコントローラ４は一般の標準の８０５１シングルチップとされ、それはＲＡＭ４１を包含する。該拡充インタフェース５は外部マルチプレクサ（図示せず）に組み合わされてＥＤＩＤ記録器１００に接続され、この拡充インタフェース５を具えた接続を検出すると、ビデオ信号に接続されたインタフェースが自動的にＨＤＣＰに変換され、そのうち、好ましくは一度で８つ以上のデータを記録できるものとされる。
【００１９】
図７は本発明の、メモリユニット２が保存するＥＤＩＤデータ２４がＥＤＩＤ記録待機のディスプレイ２０１のＶＧＡビデオインタフェース１１、ＤＶＩビデオインタフェース１２、ＨＤＭＩビデオインタフェース１３に対応することを確定するための制御フローであり、そのうち三つのＥＤＩＤはＶＧＡ対応ＥＤＩＤ１、ＤＶＩ対応ＥＤＩＤ２、ＨＤＭＩ対応ＥＤＩＤ３を指し、まず、三つのＥＤＩＤを読取り、それらが損壊しているかを判断する（ステップＳＢ１）。もし損壊していればステップＳＢ２を実行し、則ち外部コンピュータ接続インタフェース９を介して外部コンピュータ９０１と接続し、これによりデータをダウンロードして該メモリユニット２中の三つのＥＤＩＤを更新した後に、ステップＳＢ１に戻り、ステップＳＢ２でもし損壊していなければ、ステップＳＢ３を実行しえ新たに別の型番のＥＤＩＤをダウンロードするかを判断する。ステップＳＢ３で新たに別の型番のＥＤＩＤをダウンロードすると判断すれば、ステップＳＢ４を実行する。ステップＳＢ４では、先ず計数データをアップロードし、更に計数データ２１を０にリセットし、その後、更にステップＳＢ２を実行する。ステップＳＢ３で新たに別の型番のＥＤＩＤをダウンロードしないと判断すれば、記録開始前に逐一ＶＧＡビデオインタフェース１１、ＤＶＩビデオインタフェース１２、ＨＤＭＩビデオインタフェース１３とＥＤＩＤ記録待機のディスプレイ２０１の接続状態を検査し（ステップＳＣ）、その接続状態により壮途に対応するビデオインタフェースを記録する必要があるか同化を自動決定する。
【００２０】
図８は本発明の製品バーコードの入力を行うための制御フローである。それはステップＳＣの後に、更にステップＳＣ１を包含し、このステップＳＣ１において該入力装置にバーコードを入力し並びに入力したバーコードが製品バーコードであるかを判断し、イエスであればステップＳＤを実行し、ノーであれば続いてステップＳＣ２を実行する。ステップＳＣ２において、該入力装置３１が入力した制御コードに基づき、製品型番名称、製品シリアルナンバー表示を実行するか、記録したいバーコードに符合するか対比を行って、不正確な型番のＥＤＩＤを使用することによる誤記録等を防止し、その後、更にステップＳＢ１のフローに戻る。
【００２１】
ＥＤＩＤ記録待機のディスプレイ２０１とＥＤＩＤ記録器１００の両者はいずれも準備段階で、入力装置３１を利用してＥＤＩＤ記録待機のディスプレイ２０１に入力する製品バーコード２０１１を入力して、製品データＰＤを獲得し、並びに表示ユニット６に製品情報が表示される（ステップＳＤ）。
【００２２】
その後、図９及び図１１に示されるように、ＥＤＩＤ記録器１００中のマイクロコントローラ４がその前に獲得した製品情報ＰＤを、メモリユニット２内のシステムデータＳＹＳ（陰影部分）の検査コード２３と対比して、うっかり防止検査を行う（ステップＳＤ１）。もし符合しなければ、ステップＳＢ３に戻り、符合しれば、さらに拡充インタフェース５が外部マルチプレクサに接続されているかを判断し（ステップＳＤ２）、接続されていれば、ＥＤＩＤ記録器１００の出力ポートをマルチプレクサの接続インタフェースからの出力に設定し（ステップＳＤ３）、接続されていなければ、ＥＤＩＤ記録器１００の出力ポートをビデオインタフェースからの出力に設定する（ステップＳＤ４）。続いて、製品データＰＤ、及びメモリユニット２内のＥＤＩＤデータ２４を、ＶＧＡのＥＤＩＤ１、ＤＶＩのＥＤＩＤ２、ＨＤＭＩのＥＤＩＤ３を、一部のシステムデータＳＹＳ（陰影部分）と共に、それぞれＲＡＭ４１中に併合並びに整合し（ステップＳＥ）、最後にＲＡＭ４１の整合したデータをＥＤＩＤ記録待機のディスプレイ２０１に記録する（ステップＳＦ）。本実施例では、説明に便利なように、ＶＧＡのＥＤＩＤ１、ＤＶＩのＥＤＩＤ２、ＨＤＭＩのＥＤＩＤ３のメモリ空間を例としているが、それは本発明の前述の記載に制限されるものではない。
【００２３】
図１０は更にＥＤＩＤ記録の正確性を確認する制御フローである。それはステップＳＦの後にＥＤＩＤ記録待機のディスプレイ２０１とメモリユニット２中の三つのＥＤＩＤが一致するかを検査し（ステップＳＦ１）、イエスであればステップＳＧを実行し、ノーであればステップＳＢ３のフローに戻り、新たに別の型番のＥＤＩＤデータをダウンロードするかを判断する。ステップＳＦ１において、まずディスプレイ２０１中のすでに記録されたＥＤＩＤデータを読み出し、更にＥＤＩＤ記録器１００中のＥＤＩＤデータと比較し、ディスプレイ２０１中に記録されたＥＤＩＤデータの正確性を確定する。
【００２４】
最後に記録作業完成後に、ＥＤＩＤ記録器１００中のマイクロコントローラ４内の計数器４２がＥＤＩＤ記録回数を累計し、並びにメモリユニット２内に計数データ２１を総合保存し（ステップＳＦ）、後日の使用者に対する料金請求の根拠を提供する。
【００２５】
使用者が記録期間に随時記録状況を了解できるようにするため、ＥＤＩＤ記録器１００は表示ユニット６、スピーカ７、及び指示ランプセット８により、記録状態状態を表示するか、或いは記録状態通知メッセージを発生する。本実施例では、指示ランプセット８は緑色、赤色、及び黄色の発光ダイオード（ＬＥＤ）とされる。例えば、記録成功の場合は、緑色発光ダイオードが緑光を発射し、そうでなければ、赤色発光ダイオードが赤光を発射する。これにより、騒音のある環境でも記録を行え、使用者は指示ランプセット８を発射する記録状態通知情報により、随時記録状況を知ることができる。このほか、黄色発光ダイオードは電源強弱状況を指示し、電力が低すぎるとき、表示ユニット６もまた低電力のメッセージを表示して使用者に充電が必要であることを提示する。
【００２６】
総合すると、本発明は一種の拡張ディスプレイ認識データ記録方法を提供し、それはコンピュータ不使用で拡張ディスプレイ認識データを記録する方法であり、コンピュータ構造から離れてビデオ信号ソースに接続しないでも直接ＥＤＩＤを記録でき、則ち固定地点でなくても単独で一回に一つ以上の接続インタフェースを記録でき、これによりコストと時間を節約し、並びにＰＣのグラフィックカードがＶＢＥ機能をサポートする特殊なグラフィックカードである必要をなくし、且つ視角問題により作業員の判定上の不便が形成されるのを防止する。
【００２７】
上述の実施例は本発明の説明のために例示したものであり、本発明の主張する権利範囲は特許請求の範囲の記載に準じ、本発明の技術の分野における通常の知識を有する者が本発明に基づきなしうる同等の修飾或いは変更はいずれも本発明の請求の範囲に属するものとする。
【図面の簡単な説明】
【００２８】
【図１】周知のＥＤＩＤ記録作業及び方法の表示図である。
【図２】周知のＥＤＩＤ記録作業及び方法の表示図である。
【図３】別の周知のＥＤＩＤ記録作業及び方法の表示図である。
【図４】本発明の好ましい実施例のＥＤＩＤ記録作業及び方法の表示図である。
【図５】本発明の好ましい実施例の製品バーコードの表示図である。
【図６】本発明の好ましい実施例のＥＤＩＤ記録のフローチャートである。
【図７】本発明の好ましい実施例のＥＤＩＤ記録のフローチャートである。
【図８】本発明の好ましい実施例のＥＤＩＤ記録のフローチャートである。
【図９】本発明の好ましい実施例のＥＤＩＤ記録のフローチャートである。
【図１０】本発明の好ましい実施例のＥＤＩＤ記録のフローチャートである。
【図１１】本発明の好ましい実施例のデータ合併の表示図である。
【符号の説明】
【００２９】
１００  ＥＤＩＤ記録器                  ２  メモリユニット
３  入力装置インタフェース              ４  マイクロコントローラ
３１  入力装置                          ５  拡充インタフェース
２０１  ディスプレイ                    ６  表示ユニット
２０１１  製品バーコード                ７  スピーカ
２０１１Ａ  製造日                      ８  指示ランプセット
２０１１Ｂ  製品シリアルナンバー
２０１１Ｃ  製品型番
１１  ＶＧＡビデオインタフェース        ９  外部コンピュータ接続インタフェース
１２  ＤＶＩビデオインタフェース        ９０１  外部コンピュータ
１３  ＨＤＭＩビデオインタフェース      ４１  ＲＡＭ
４２  計数器                            ＳＡ〜ＳＦ  ステップ
１９３、２９３  コンピュータ装置        １９４、２９４  信号線
１９１、２９１  ディスプレイ            １９２、２９２  スキャナ
１９１１  ＶＧＡインタフェース          １９５、２９５  インタフェースアダプタ
１９１２、２９１１  ＤＶＩインタフェース  ２９３１  プリンタポート
ＳＡ〜ＳＧ、ＳＢ１〜ＳＢ４、ＳＣ１、ＳＣ２、ＳＤ１〜ＳＤ４、ＳＦ１  ステップ
【図１】
2008304884.tif 000003
【図２】
2008304884.tif 000004
【図３】
2008304884.tif 000005
【図４】
2008304884.tif 000006
【図５】
2008304884.tif 000007
【図６】
2008304884.tif 000008
【図７】
2008304884.tif 000009
【図８】
2008304884.tif 000010
【図９】
2008304884.tif 000011
【図１０】
2008304884.tif 000012
【図１１】
2008304884.tif 000013